(57)【要約】【課題】内部に伝わる衝撃を緩和させることができ、流失時に環境汚染物質の排出が極力抑えられる魚釣り用発光ウキの提供。【解決手段】上ケースと、前記上ケースの下部に取設される容器状の下ケースと、前記下ケースに内設されるプリント回路基板（ＰＣＢ）と、前記プリント回路基板（ＰＣＢ）に取設されて発光する発光体と、前記下ケースに内設されて前記発光体に電源を供給する充電式バッテリと、前記下ケースの下端部に露設されて前記充電式バッテリを充電器に電気的に接続する充電接続端子と、前記下ケースの内部に液状で注入されて硬化された充填体と、を備えることを特徴とする魚釣り用発光ウキ。本発明の魚釣り用発光ウキは、たとえ水面または岩にぶつかって衝撃を受けても、内部の電子部品の破損を防ぎ、内部に伝わる衝撃を吸収して緩和させ、しかも、海洋汚染を防ぐというメリットがある。【選択図】図４
2013220101.tif 000002
【特許請求の範囲】
【請求項１】
上ケース（１０）と、
前記上ケース（１０）の下部に取設される容器状の下ケース（２０）と、
前記下ケース（２０）に内設されるプリント回路基板（ＰＣＢ）（３０）と、
前記プリント回路基板（ＰＣＢ）（３０）に取設されて発光する発光体（４０）と、
前記下ケース（２０）に内設されて前記発光体（４０）に電源を供給する充電式バッテリ（５０）と、
前記下ケース（２０）の下端部に露設されて前記充電式バッテリ（５０）を充電器に電気的に接続する充電接続端子（５１）と、
前記下ケース（２０）の内部に液状で注入されて硬化された充填体（７０）と、
を備えることを特徴とする魚釣り用発光ウキ。
【請求項２】
前記充填体（７０）は、二液型エポキシまたは二液型ウレタンであることを特徴とする請求項１に記載の魚釣り用発光ウキ。
【請求項３】
前記プリント回路基板（ＰＣＢ）（３０）は、前記下ケース（２０）の内部に立設され、
前記充電式バッテリ（５０）は、そのバッテリ端子（５４）が下側に位置するように取り付けられることを特徴とする請求項１または２に記載の魚釣り用発光ウキ。
【請求項４】
前記下ケース（２０）の下端部に前記充電接続端子（５１）が嵌まり込む嵌合孔（２７）が穿設され、
前記充電接続端子（５１）はボルト状を呈し、
前記プリント回路基板（ＰＣＢ）（３０）の下部に一方の端が電気的に接続されたコイル状部（５２ａ）付き接続線（５２）が嵌合孔（２７）に向かって配設され、
前記充電接続端子（５１）は、
前記嵌合孔（２７）に嵌まり込んだ状態で前記コイル状部（５２ａ）と螺合されて電気的に接続されることを特徴とする請求項１または２に記載の魚釣り用発光ウキ。
【請求項５】
前記上ケース（１０）と前記下ケース（２０）とが融着されて内部が密閉され、
前記充填体（７０）の上側に空き空間が形成され、
前記プリント回路基板（ＰＣＢ）（３０）の上部に前記発光体（４０）が上向きに設けられ、
前記プリント回路基板（ＰＣＢ）（３０）の下部に前記充電接続端子（５１）と接続される接続線（５２）が取設されており、
前記下ケース（２０）の中心部に中空ロッド（２１）が突設され、
前記中空ロッド（２１）の周りに多数の重りが所定の間隔を隔てて隔設されることを特徴とする請求項４に記載の魚釣り用発光ウキ。
【請求項６】
上ケース（１０）と、
前記上ケース（１０）の下部に取設される容器状の下ケース（２０）と、
前記下ケース（２０）の内部に立設されるプリント回路基板（ＰＣＢ）（３０）と、
前記プリント回路基板（ＰＣＢ）（３０）に取設されて発光する発光体（４０）と、
前記下ケース（２０）の内部にバッテリ端子（５４）が下側に位置するように取り付けられて前記発光体（４０）に電源を供給する充電式バッテリ（５０）と、
前記下ケース（２０）の下端部に露設されて前記充電式バッテリ（５０）を充電器に電気的に接続する充電接続端子（５１）と、
を備える魚釣り用発光ウキの製造方法において、
前記下ケース（２０）の内部に前記プリント回路基板（ＰＣＢ）（３０）と、前記充電式バッテリ（５０）及び前記充電接続端子（５１）を取り付ける第１のステップと、
前記下ケース（２０）の内部に充填体（７０）を液状で注入する第２のステップと、
前記充填体（７０）を乾燥して硬化させる第３のステップと、
前記上ケース（１０）を前記下ケース（２０）に取設する第４のステップと、
がこの順に行われることを特徴とする魚釣り用発光ウキの製造方法。
【請求項７】
前記第１のステップは、
前記充電接続端子（５１）は、ボルト状を呈し、前記下ケース（２０）の下端部に嵌め込んだときに前記充電式バッテリ（５０）と電気的に接続された接続線（５２）のコイル状部（５２ａ）と螺合されるステップを含むことを特徴とする請求項６に記載の魚釣り用発光ウキの製造方法。
【請求項８】
魚釣り用発光ウキとそこに電気を充電する充電器とを有する魚釣り用発光ウキ及び充電器のセットにおいて、
前記魚釣り用発光ウキは、
上ケース（１０）と、前記上ケース（１０）の下部に取設される容器状の下ケース（２０）と、垂直に挿通された釣り糸挿通孔（２６）と、を有し、前記釣り糸挿通孔（２６）を中心とする回転体状を呈するケースと、
前記下ケース（２０）に内設されるプリント回路基板（ＰＣＢ）（３０）と、
前記プリント回路基板（ＰＣＢ）（３０）に取設されて発光する発光体（４０）と、
前記釣り糸挿通孔（２６）の側方に設けられる第１の磁石（６５）と、
前記下ケース（２０）に内設されて前記発光体（４０）に電源を供給する充電式バッテリ（５０）と、
前記下ケース（２０）の下端部に露設されて前記充電式バッテリ（５０）を前記充電器に電気的に接続する充電接続端子（５１）と、
前記下ケース（２０）の内部に液状で注入されて硬化された充填体（７０）と、
を備え、
前記充電器は、
前記下ケース（２０）の下部が置かれるように上面に凹設された載置空間（８４）と、
前記釣り糸挿通孔（２６）に嵌合自在に前記載置空間（８４）の中心部に突き出た垂直通嵌ロッド（８２）と、
前記載置空間（８４）の表面に露設された充電接触端子（８１）と、
前記充電接続端子（５１）と前記充電接触端子（８１）との接触による充電に際して前記第１の磁石（６５）との引力が働くように前記垂直通嵌ロッド（８２）の側方且つ前記載置空間（８４）の下側に設けられる第２の磁石（８５）と、
を備えることを特徴とする魚釣り用発光ウキ及び充電器のセット。
【請求項９】
前記第１の磁石（６５）は、異なる極性が下方を向くように前記釣り糸挿通孔（２６）周りに周設された一対の磁石（６５１、６５２）であり、
前記第２の磁石（８５）は、異なる極性が上方を向くように前記垂直通嵌ロッド（８２）周りに周設されて充電時に前記第１の磁石（６５）との引力が働く一対の磁石（８５１、８５２）であることを特徴とする請求項８に記載の魚釣り用発光ウキ及び充電器のセット。
【請求項１０】
前記第１の磁石（６５）を構成する一対の磁石（６５１、６５２）の間に、多数の端子のうち前記充電接続端子（５１）に対応するいずれかの端子が配設されることを特徴とする請求項９に記載の魚釣り用発光ウキ及び充電器のセット。
【発明の詳細な説明】
【技術分野】
【０００１】
本発明は、モールディング構造を有する魚釣り用発光ウキに関する。さらに詳しくは、発光のために魚釣り用ウキに内設される電子素子などが安定して取り付けられる構造を形成するとともに、魚釣り用ウキの流失時に海水との接触を遮断することにより汚染物質の漏出を極力抑えるように構成した魚釣り用発光ウキに関する。
【背景技術】
【０００２】
通常、夜釣り用ウキは、発光手段により魚信（当たり）を感じており、発光するケミカルライト（Chemical
Light）を魚釣り用ウキの上端のホルダーに差し込んで用いていたが、最近、長寿命の発光ダイオード（ＬＥＤ）を用いた魚釣り用発光ウキの普及が急速に進んでいる。
【０００３】
図１は、このような魚釣り用発光ウキを示すものであり、例えば、下記の特許文献１に開示されている。
【０００４】
図１を参照すると、胴体は、上体１と下体２とを備え、下体２の外周縁の上には水面検出センサー７が露設されて、魚釣り用ウキ胴体が水に投げられて浮遊した状態で水面検出センサー７が水分を感知すると、内蔵された発光ダイオード（ＬＥＤ）が発光するようになっており、下体２内の中央下端側には魚釣り用ウキ胴体の釣り合いを取る釣り合い錘６が設けられる。なお、魚釣り用ウキ胴体には、電気を充電する充電式バッテリ５と、前記充電式バッテリ５を電源として発光する発光ダイオード（ＬＥＤ）４及び水平に設けられるプリント回路基板（ＰＣＢ）３が内設される。
【０００５】
上述した従来の魚釣り用発光ウキの場合、プリント回路基板（ＰＣＢ）３、充電式バッテリ５などが下体２に固定されているが、魚釣り中に投げられる魚釣り用発光ウキは岩や水面にぶつかって大きな衝撃が内部に伝わる。このような魚釣り用発光ウキの岩や水面へのぶつかりが繰り返されて生じる衝撃は、プリント回路基板（ＰＣＢ）３、充電式バッテリ５などの固定状態を破壊し、内部回路の断線を引き起こして誤作動及び故障の原因となる。
【０００６】
なお、従来の魚釣り用発光ウキは、使用後に捨てられるか、あるいは、暗礁に引っ掛かって流失する場合に環境を汚染させる主な原因となっている。すなわち、海岸や川辺に捨てられた魚釣り用発光ウキはその内部に水が浸透して電子部品を腐食させ、腐食中に有害物質が排出されて水質を悪化させ、水中生物の生長に悪影響を及ぼしている。
【先行技術文献】
【特許文献】
【０００７】
特許文献１：大韓民国登録特許公報第１０−０６０５３０４号
【発明の概要】
【発明が解決しようとする課題】
【０００８】
本発明は上記事情に鑑みてなされたものであり、その目的は、内部に伝わる衝撃を緩和させることができ、流失時に環境汚染物質の排出が極力抑えられる魚釣り用発光ウキを提供することである。
【０００９】
本発明の他の目的は、上記の魚釣り用発光ウキを製造する方法を提供することである。
【００１０】
本発明のさらに他の目的は、上記の魚釣り用発光ウキを充電する魚釣り用発光ウキ及び充電器のセットを提供することである。
【課題を解決するための手段】
【００１１】
上記の目的を達成するために、本発明による魚釣り用発光ウキは、上ケースと、前記上ケースの下部に取設される容器状の下ケースと、前記下ケースに内設されるプリント回路基板（ＰＣＢ）と、前記プリント回路基板（ＰＣＢ）に取設されて発光する発光体と、前記下ケースに内設されて前記発光体に電源を供給する充電式バッテリと、前記下ケースの下端部に露設されて前記充電式バッテリを充電器に電気的に接続する充電接続端子と、前記下ケースの内部に液状で注入されて硬化された充填体と、を備えることを特徴とする。
【００１２】
また、本発明に係る、上ケースと、前記上ケースの下部に取設される容器状の下ケースと、前記下ケースの内部に立設されるプリント回路基板（ＰＣＢ）と、前記プリント回路基板（ＰＣＢ）に取設されて発光する発光体と、前記下ケースの内部にバッテリ端子が下側に位置するように取り付けられて前記発光体に電源を供給する充電式バッテリと、前記下ケースの下端部に露設されて前記充電式バッテリを充電器に電気的に接続する充電接続端子と、を備える魚釣り用発光ウキの製造方法は、前記下ケースの内部に前記プリント回路基板（ＰＣＢ）と、前記充電式バッテリ及び前記充電接続端子を取り付ける第１のステップと、前記下ケースの内部に充填体を液状で注入する第２のステップと、前記充填体を乾燥して硬化させる第３のステップと、前記上ケースを前記下ケースに取設する第４のステップと、がこの順に行われることを特徴とする。
【００１３】
さらに、本発明に係る魚釣り用発光ウキ及び充電器のセットは、魚釣り用発光ウキとそこに電気を充電する充電器とを有するが、前記魚釣り用発光ウキは、上ケースと、前記上ケースの下部に取設される容器状の下ケースと、垂直に挿通された釣り糸挿通孔と、を有し、前記釣り糸挿通孔を中心とする回転体状を呈するケースと、前記下ケースに内設されるプリント回路基板（ＰＣＢ）と、前記プリント回路基板（ＰＣＢ）に取設されて発光する発光体と、前記釣り糸挿通孔内の側方に設けられる第１の磁石と、前記下ケースに内設されて前記発光体に電源を供給する充電式バッテリと、前記下ケースの下端部に露設されて前記充電式バッテリを前記充電器に電気的に接続する充電接続端子と、前記下ケースの内部に液状で注入されて硬化された充填体と、を備え、前記充電器は、前記下ケースの下部が置かれるように上面に凹設された載置空間と、前記釣り糸挿通孔に嵌合自在に前記載置空間の中心部に突き出た垂直通嵌ロッドと、前記載置空間の表面に露設された充電接触端子と、前記充電接続端子と前記充電接触端子との接触による充電に際して前記第１の磁石との引力が働くように前記垂直通嵌ロッドの側方且つ前記載置空間の下側に設けられる第２の磁石と、を備えることを特徴とする。
【発明の効果】
【００１４】
本発明による液状注入式充填体を備える魚釣り用発光ウキ、その製造方法、並びにその魚釣り用発光ウキ及び充電器のセットは、下記の効果を有する。
【００１５】
先ず、第一に、本発明の魚釣り用発光ウキは、下ケースの内部に液状で注入されて硬化された充填体を備えることにより、下ケースの内部の各電子部品を一体に固定することができ、液状で硬化される充填体は粘着性を有することから、各電子部品を下ケースに強固に固定することができる。これにより、釣り竿に吊るされて投げられる魚釣り用発光ウキが水面または岩にぶつかって衝撃を受けても、内部の電子部品の破損を防ぎ、固定位置を維持する。なお、充填体が弾性体の役割も果たすので、内部に伝わる衝撃を吸収して緩和させる。
【００１６】
第二に、本発明の魚釣り用発光ウキは、充填体が内部の電子部品を囲繞して一体化させて水密作用をしているので、魚釣り用発光ウキのケースが破損された状態で海に廃棄されても、海水と電子部品との接触を防いで腐食による有害物質の漏出を防ぐ。あるいは、使用時には前記水密作用によって電子部品の防湿作用が得られて使用中における電子部品の誤作動を防ぐという効果を有する。
【００１７】
第三に、本発明の魚釣り用発光ウキは、充填体が各構成要素を下ケースと一体化させて固定するので、下ケースの内部に各構成要素を配設する設計に際して強固な固定のための構造が別途に求められない。したがって、下ケースの内部構造の簡略化を図ることができる。
【００１８】
第四に、本発明の魚釣り用発光ウキは、充電接続端子とコイル状の接続線とが螺合されて電気的に接続されているので、電気的に良好な接触状態が維持されてその接続作業が非常に簡単に行われる。すなわち、従来には、下ケース内における充電接続端子と接続線との電気的な接続のための半田付けなどの作業が手狭い空間によって行えなかったが、本発明によれば、ボルト状の充電接続端子を回してコイル状部と螺合させる方式を採るので、電気的な接触が良好であり、しかも、強固な結合状態が得られる。
【００１９】
第五に、本発明の魚釣り用発光ウキ及び充電器のセットは、充電器に凹状の載置空間が形成され、その中心部に垂直通嵌ロッドが設けられるとともに、魚釣り用発光ウキの釣り糸挿通孔が垂直通嵌ロッドに嵌合自在に穿設されるので、充電時に魚釣り用発光ウキが安定した直立状態を維持することができる。
【００２０】
第六に、本発明の魚釣り用発光ウキ及び充電器のセットは、充電器に垂直通嵌ロッドが設けられて魚釣り用発光ウキの釣り糸挿通孔に嵌合することにより、第１の磁石と第２の磁石とが互いに引き寄せる過程で前記垂直通嵌ロッドが回転軸の役割を果たす。これにより、下部が容器状を呈する魚釣り用発光ウキが充電器に置かれるときに、充電接続端子及び充電接触端子の接触が釣り糸挿通孔を中心として安定して導かれている。
【００２１】
最後に、本発明の魚釣り用発光ウキ及び充電器のセットは、異なる極性にて配設された一対の磁石からなる第１の磁石と、充電時に第１の磁石との引力が働くが、異なる極性にて配設される他の一対の磁石からなる第２の磁石と、が設けられることにより、複数の個所において引力が働いて充電接続端子及び充電接触端子の良好な接触状態を維持することができるとともに、充電が完了した後には魚釣り用発光ウキを時計回り方向または反時計回り方向に回して充電器から魚釣り用発光ウキを簡単に取り外すことができる。
【図面の簡単な説明】
【００２２】
【図１】従来の魚釣り用発光ウキの構成を示す断面図である。
【図２】本発明の実施形態による魚釣り用発光ウキが充電器に取設される構成を示す斜視図である。
【図３】本発明の実施形態による魚釣り用発光ウキの分解斜視図である。
【図４】本発明の実施形態による魚釣り用発光ウキの断面構成図である。
【図５】本発明の実施形態による魚釣り用発光ウキにおける充電接続端子と接続線及び下ケースの結合構造を示す説明図である。
【図６】本発明の実施形態による魚釣り用発光ウキにおける下ケースの内部への液状の充填体の注入作業を示す説明図である。
【図７】本発明の実施形態による魚釣り用発光ウキの下部構成と充電器の構成を示す斜視図である。
【図８】本発明の実施形態による充電器の分解斜視図である。
【図９】本発明の実施形態による魚釣り用発光ウキ及び充電器の構成を示す断面図である。
【図１０】Ａ及びＢは、本発明の実施形態による魚釣り用発光ウキの下面と充電器の上面をそれぞれ示す構成図である。
【図１１】本発明の実施形態による魚釣り用発光ウキ及び充電器のセットにおいて、充電器から魚釣り用発光ウキを取り外す過程を示す作用説明図である。
【図１２】本発明の実施形態による魚釣り用発光ウキ及び充電器のセットにおいて、充電器から魚釣り用発光ウキを取り外す過程を示す作用説明図である。
【発明を実施するための形態】
【００２３】
以下、添付図面に基づき、本発明の好適な実施形態による液状注入式充填体を備える魚釣り用発光ウキ、その製造方法、並びにその魚釣り用発光ウキ及び充電器のセットについて詳述する。
【００２４】
図２は、本発明の実施形態による魚釣り用発光ウキが充電器本体８０に取設される構成を示している。
【００２５】
本発明の実施形態による魚釣り用発光ウキＡには充電式バッテリ５０が内蔵されており、発光のために周期的に充電器Ｂにより充電式バッテリ５０が充電される。
【００２６】
充電器Ｂには、魚釣り用発光ウキの釣り糸挿通孔に嵌合するものであって、充電状態で魚釣り用発光ウキを支持するための垂直通嵌ロッド８２が中央に突設されている。魚釣り用発光ウキの釣り糸挿通孔に垂直通嵌ロッド８２が嵌合した状態では、充電器Ｂの充電接触端子８１と魚釣り用発光ウキの充電接続端子５１とが接触して電気的な接続が行われる。
【００２７】
本発明の実施形態による魚釣り用発光ウキＡは、上ケース１０と、前記上ケース１０の下部に取設される容器状の下ケース２０と、を有するケースと、前記下ケース２０に内設されるプリント回路基板（ＰＣＢ）３０と、前記プリント回路基板（ＰＣＢ）３０に取設されて発光する発光体４０と、前記下ケース２０に内設されて前記発光体４０に電源を供給する充電式バッテリ５０と、前記下ケース２０の下端部に露設されて前記充電式バッテリ５０を充電器に電気的に接続する充電接続端子５１と、前記下ケース２０の内部に液状で注入されて硬化された充填体７０と、を備える。
【００２８】
図３は、本発明の実施形態による魚釣り用発光ウキの分解斜視図であって、充填体７０が液状で注入される前の状態であり、図４は、液状の充填体７０が注入されて硬化された状態の魚釣り用発光ウキの構成を示す断面図である。
【００２９】
図３及び図４を参照すると、魚釣り用発光ウキＡのケースは、上ケース１０と下ケース２０とを有し、上ケース１０と下ケース２０とが組み合わせられることにより、内部に空気層１４が形成されて浮力を有する。
【００３０】
上ケース１０の中心部には挿通孔１１ａが穿設されて釣り糸が挿通され、下ケース２０の中心部にも、突設される中空ロッド２１の挿通孔２１ａが穿設される。上ケース１０の挿通孔１１ａと下ケース２０の挿通孔２１ａとが結合されて魚釣り用発光ウキを垂直に挿通する釣り糸挿通孔２６が穿設される。挿通孔１１ａの上端にはセラミックリング１２が設けられて釣り糸と接触する。
【００３１】
前記下ケース２０は容器状を呈し、上ケース１０の下部に取設されることにより魚釣り用発光ウキＡの外観を形成する。下ケース２０の内部空間には、充電及び発光のための部品が嵌入可能な空間が画成されている。
【００３２】
下ケース２０の中間部には挿通孔２１ａ付き中空ロッド２１が突設されて釣り糸が挿通され、中空ロッド２１の下端部にはセラミックリング２２が設けられて釣り糸と接触する。
【００３３】
下ケース２０の上端周りにはＯリング嵌合溝２３が刻設されてＯリング１５が嵌入し、上ケース１０の端部が取り付けられるときにＯリング嵌合溝２３のＯリング１５を押し付けて封止作用をする。
【００３４】
上ケース１０と下ケース２０とが組み合わせられた後には、上ケース１０と下ケース２０との組み合わせ部を外部から融着して本発明の魚釣り用発光ウキの内部空間が完全に密閉される。
【００３５】
一方、前記プリント回路基板（ＰＣＢ）３０は、下ケース２０内における中空ロッド２１の一方の側に立設される。本発明の魚釣り用発光ウキＡは、下ケース２０の狭い内部空間にプリント回路基板（ＰＣＢ）３０を立設して下ケース２０の内部空間に充填される充填体７０がプリント回路基板（ＰＣＢ）３０を囲繞する。
【００３６】
前記発光体４０は、プリント回路基板（ＰＣＢ）３０の上部に上向きに設けられることにより、発光時に上ケース１０に光を照射する。これにより、発光体４０のリード線は折れ曲がってプリント回路基板（ＰＣＢ）３０に貼着され、液状の充填体７０が注入されるときに少なくとも発光体４０のリード線４０ａとプリント回路基板（ＰＣＢ）３０との貼合部まで満たされる。
【００３７】
前記充電式バッテリ５０は、下ケース２０に内設されて発光体４０に電源を供給している。充電式バッテリ５０も前記プリント回路基板（ＰＣＢ）３０と同様に下ケース２０の内部空間に立設されるが、充電式バッテリ５０の端子が下側に位置するように立設される。これは、充電式バッテリ５０が海水と接触する場合に、バッテリケースによって充電式バッテリ５０が保護されているが、バッテリ端子５４の配設部分は海水と接触して腐食を引き起こし易い。このため、下ケース２０に充填体７０を注入して硬化させる場合に、充填体７０の注入量が少量であっても下側のバッテリ端子５４の部分は少なくとも充填体７０によって囲繞及びモールドするためである。
【００３８】
充電式バッテリ５０のバッテリ端子５４は充電接続端子５１と電気的に接続されて充電器による充電が行われる。充電式バッテリ５０のバッテリ端子５４は下側に位置して後述する接続線５２及び充電接続端子５１の接続が容易に行われる。
【００３９】
前記充電接続端子５１は、下ケース２０の下端部に外部に露出されるように嵌入している。充電接続端子５１はボルト状に形成されて下ケース２０の下端部の嵌合孔２７に嵌合した状態で頭部５１ａが外部に露出されて充電器Ｂの充電接触端子との電気的な接触が行われる。
【００４０】
第１の磁石６５は、下ケース２０内における釣り糸挿通孔２６の側方に設けられた磁石載置孔２５に設けられる。磁石載置孔２５は一対形成され、第１の磁石６５は一対の磁石６５１、６５２からなって前記磁石載置孔２５にそれぞれ嵌まり込む。第１の磁石６５をなす一対の磁石６５１、６５２は、異なる極性が下方を向くように前記釣り糸挿通孔２６周りの一部に周設され、これらの一対の磁石６５１、６５２の間に前記充電接続端子５１のうちのいずれかの端子が配設される。
【００４１】
図５は、充電接続端子５１と、接続線及び下ケース２０の結合状態を示す説明図である。
【００４２】
図５を参照すると、充電接続端子５１は、下ケース２０の下端の嵌合孔２７に嵌合した後、接続線５２のコイル状部５２ａと螺合される。すなわち、プリント回路基板（ＰＣＢ）３０の下部に一方の端が接続された接続線５２が充電接続端子５１の螺旋に巻取可能な直径及びピッチを有するコイル状部５２ａを有し、そのコイル状部５２ａが嵌合孔２７に向かって配設される。これにより、下ケース２０の嵌合孔に充電接続端子５１を嵌合した後、前記コイル状部５２ａに接触した状態で自転させると、接続線５２のコイル状部５２ａが充電接続端子５１の螺旋に係合されて巻取されて充電接続端子５１と接続線５２とが接続される。これにより、接続線５２と充電接続端子５１の表面に広い接触面が形成されて電気的に良好な接触状態を維持することができる。
【００４３】
上記の構成は、狭い空間を有する下ケース２０内において別途の接続作業が行われ難いということを考慮したときに大きな効果を有する。すなわち、下ケース２０は狭いため、下ケース２０内においては充電接続端子５１と接続線５２との電気的な接続のための半田付けなどの作業を行うことができない。しかしながら、上述した接続線のコイル状部５２ａとボルト状の充電接続端子５１との螺合により、狭い空間における良好な電気的な接触及び強固な結合状態が得られる。
【００４４】
また、充電接続端子５１が嵌合した下ケース２０の嵌合孔２７は、充電接続端子５１と接続線５２との接続が完了した後に、液状で硬化される充填体（モールド材）７０が内部に注入されることにより密閉及び固定が行われる。
【００４５】
一方、下ケース２０の内部には、図３に示すように、重り６４が挿入される。重り６４は、中空ロッド２１の周りに所定の間隔を隔てて周設され、下ケース２０に重り挿入空間２４を画成して挿入することが好ましい。重り６４は、魚釣り用発光ウキの重心が下部に位置するようにして魚釣り用発光ウキが水中に浮遊した状態で直立するようにする。
【００４６】
一方、前記充填体７０は、下ケース２０の内部に液状で注入されて硬化されることにより、下ケース２０内部の各構成要素を保護している。充填体７０は、二液型エポキシまたは二液型ウレタンであることが好ましいが、液状で乾燥されて常温で硬化状態を維持可能な合成樹脂であれば、いずれも使用可能である。参考までに、「二液型」とは、通常、主材料に硬化剤が含有されているものをいう。
【００４７】
図６は、下ケース２０にプリント回路基板（ＰＣＢ）３０、充電式バッテリ５０などの構成要素が内設された状態で液状の充填体７０を注入する作業を示している。
【００４８】
液状の充填体７０を注入するときには、各構成要素が内設されている下ケース２０の重さを電子天秤で測って注入量を決定する。これは、液状の充填体７０は各構成要素が全て取り付けられた後に最終的に注入されるものであり、種々の構成要素が下ケース２０に内設されることにより各下ケース２０ごとに重さの違いが発生するため、魚釣り用発光ウキの良好な浮遊状態を調節するために各重さによる上ケース１０の内部の空気層１４の体積を調節する必要があるためである。
【００４９】
これにより、各構成要素が全て内設された下ケース２０の重さが設計値を超える場合には上ケース１０の内部の空気層１４の体積を増やす必要があるため、充填体７０の注入量を減らし、下ケース２０の重さが設計値を下回る場合には上ケース１０の内部の空気層１４の体積を減らす必要があるため、充填体７０の注入量を増やす。充填体７０の注入量がやや減っても、プリント回路基板（ＰＣＢ）３０が立設されるため、主な接続部が全て充填体７０に沈み込んだ状態になり、充電式バッテリ５０もバッテリ端子５４が下側に位置するため充填体７０に沈み込んだ状態となる。
【００５０】
前記充填体７０は、例えば、エポキシ硬化物である場合に比重が１．０〜１．１８であるため、海水の比重である１．０１９〜１．０２５と大差なく、充填体７０そのものは魚釣り用発光ウキの浮力に及ぼす影響が大きくない。
【００５１】
充填体７０が下ケース２０に注入された後には、自然乾燥により硬化されて内部の構成要素と下ケース２０とが一体化される。充填体７０が硬化された後に上ケース１０と下ケース２０とが組み合わせられ、熱融着などの方法により上ケース１０と下ケース２０の内部を外部から密閉させる。
【００５２】
前記充填体７０は粘性を有するため下ケース２０に内設される各構成要素に接着されるとともに、各構成要素を下ケース２０と一体化させて固定するものであるため、下ケース２０に各構成要素を内設する設計に際して強固な固定のための構造が別途に求められない。このため、下ケース２０の内部構造の簡略化を図ることができる。
【００５３】
また、本発明の充填体７０は粘着性によって下ケース２０の内部においてプリント回路基板（ＰＣＢ）３０と、充電式バッテリ５０などの電子部品を一体化させて各位置を固定しているとともに、それ自体が弾性を有するため緩衝材の役割を果たしている。すなわち、魚釣り用発光ウキは水中に繰り返し投げられる間に水面との衝撃、岩との衝撃が生じるため、内部の電子部品の固定状態が破壊されて破損される虞があるが、充填体７０によってそのような衝撃が吸収可能である。
【００５４】
加えて、本発明の充填体７０は、内部の電子部品を囲繞して一体化させて水密作用をしているので、魚釣り用発光ウキのケースが破損された状態で海に廃棄されても、海水の浸透を防いで腐食による有害物質の漏出を防ぐ。
【００５５】
以下、本発明の魚釣り用発光ウキを充電する魚釣り用発光ウキ及び充電器のセットについて説明する。
【００５６】
本発明による魚釣り用発光ウキを充電する魚釣り用発光ウキ及び充電器のセットは、釣り糸が挿通する釣り糸挿通孔２６を中心とする回転体状の魚釣り用発光ウキＡと、前記魚釣り用発光ウキＡを充電するための充電器Ｂと、を備える。
【００５７】
図７を参照すると、魚釣り用発光ウキＡは、容器状を呈する下ケース２０と、下ケース２０を上方から覆う上ケース１０と、が組み合わせられて外観を形成する。下ケース２０の下端部には充電接続端子５１が多数設けられるが、釣り糸挿通孔２６を中心として周りに等間隔にて「＋」端子、「−」端子及び接地端子が周設される。
【００５８】
前記魚釣り用発光ウキＡは、下ケース２０と上ケース１０とが組み合わせられて全体的に釣り糸挿通孔２６を中心とする回転体の形状を有する。すなわち、楕円形断面の半分が釣り糸挿通孔２６を中心として３６０°回転して卵状を呈する立体形状である。
【００５９】
前記充電器Ｂには、前記魚釣り用発光ウキＡの下ケース２０が置かれるための載置空間８４が形成され、載置空間８４の中心部には、魚釣り用発光ウキＡの釣り糸挿通孔２６に嵌合する垂直通嵌ロッド８２が設けられる。垂直通嵌ロッド８２の周りに等間隔にて充電接触端子８１が周設される。
【００６０】
これにより、魚釣り用発光ウキＡの釣り糸挿通孔２６に垂直通嵌ロッド８２が嵌合した状態で充電器Ｂの載置空間８４に置かれて充電が行われる。
【００６１】
一方、前記充電器Ｂは、前記魚釣り用発光ウキＡが置かれるように上面に形成された凹状の載置空間８４と、前記釣り糸挿通孔２６に嵌合自在に前記載置空間８４の中心部に突き出た垂直通嵌ロッド８２と、前記載置空間８４の表面に露設された充電接触端子８１と、前記充電接続端子５１と前記充電接触端子８１との接触による充電に際して前記第１の磁石６５との引力が働くように前記垂直通嵌ロッド８２の側方且つ前記載置空間８４の下側に設けられる第２の磁石８５と、を備える。
【００６２】
図７及び図８を参照すると、前記充電器Ｂは、上ケース８６と下ケース８７とが組み合わせられて外観を形成している。
【００６３】
前記載置空間８４は、上ケース８６の上面に形成されたものであり、魚釣り用発光ウキＡの下ケース８７が置かれるように形成された凹状の空間である。
【００６４】
前記載置空間８４の中心部には垂直通嵌ロッド８２が設けられ、垂直通嵌ロッド８２の周りに充電接触端子８１が周設される。
【００６５】
前記垂直通嵌ロッド８２は、魚釣り用発光ウキＡの釣り糸挿通孔２６に嵌合して魚釣り用発光ウキＡの安定した載置状態を維持し、魚釣り用発光ウキＡが第１の磁石６５及び第２の磁石８５の引力作用により充電接続端子５１と充電接触端子８１を見出して回転するときに回転軸を形成することになる。
【００６６】
前記充電接触端子８１は、垂直通嵌ロッド８２の周りに等間隔にて周設されるものであり、前記魚釣り用発光ウキＡの充電接続端子５１である「＋」端子、「−」端子及び接地端子にそれぞれ接続されるように載置空間８４の表面に露出されている。
【００６７】
一方、前記第２の磁石８５は、一対の磁石８５１、８５２が異なる極性にて上方を向くように前記垂直通嵌ロッド８２の周りの一部に周設される。充電に際して、第１の磁石６５と第２の磁石８５との間には引力が働く。第１の磁石６５の一対の磁石６５１、６５２が下方に異なる極性を有するように配設され、第２の磁石８５も第１の磁石６５のそれぞれの磁石とは異なる極性にて上方に向かって第１の磁石と向かい合うことにより、相互間に引力が働く。
【００６８】
図８を参照すると、第２の磁石８５は、上ケース８６の内部に穿孔された磁石載置孔８６１に設けられ、磁石載置孔８６１は、下側から磁石８５が嵌まり込むように穿孔される。磁石載置孔８６１も一対が穿孔されて一対の磁石８５１、８５２がそれぞれ嵌まり込んだ後には下ケース８７の支持突起８７１によって第２の磁石８５が支持されている。すなわち、図９に示すように、下ケース８７と上ケース８６とが組み合わせられると、下ケース８７から上方に突き出た支持突起８７１が磁石載置孔８６１に嵌まり込んだ第２の磁石８５を押し出して載置させる。このような構成により、充電器Ｂの構造が単純化し、且つ、ケースの破損前までは第２の磁石８５が安定的に保持される。
【００６９】
図１０Ａ及び図１０Ｂは、魚釣り用発光ウキＡの下面と充電器Ｂの上面をそれぞれ示している。
【００７０】
図１０Ａに示すように、第１の磁石６５が下方を向くようにＳ極、Ｎ極にて配設され、図１０Ｂに示すように、第２の磁石８５がＮ極、Ｓ極にて配設されると、魚釣り用発光ウキＡの釣り糸挿通孔２６に垂直通嵌ロッド８２が嵌合した状態で時計回り方向または反時計回り方向に徐々に回す間に、第１の磁石６５が第２の磁石８５に引き寄せられて魚釣り用発光ウキＡが充電器Ｂの載置空間８４に完全に置かれる。このとき、同じ極性間には斥力が働くため、正確な個所に載置するための引力作用が一層確実に行われる。
【００７１】
上述したように、本発明は、充電器Ｂに垂直通嵌ロッド８２が設けられることにより、充電のために魚釣り用発光ウキＡが安定した直立状態を維持することができ、第１の磁石６５と第２の磁石８５とが互いに引き寄せられて魚釣り用発光ウキＡが回転する間に前記垂直通嵌ロッド８２が回転軸の役割を果たして充電接続端子５１及び充電接触端子８１の接続を安定的に導くことができる。
【００７２】
また、本発明は、上記の構成を採用することにより、第１の磁石６５及び第２の磁石８５が両方とも単一の充電接続端子５１及び充電接触端子８１を介して一対の磁石６５１、６５２、８５１、８５２が複数の個所においてくっつくため、強固な固定状態を維持することができ、しかも、３つの充電接続端子５１と３つの充電接触端子８１とが均一に良好な電気的接触を形成することができる。
【００７３】
充電の完了状態は、通常の充電器Ｂと同様に、表示ランプ８９のカラーの変化により確認可能である。
【００７４】
図１１及び図１２は、充電が完了した状態で魚釣り用発光ウキＡを取り外す過程を示している。
【００７５】
表示ランプ８９により充電の完了状態が確認されると、魚釣り用発光ウキＡを手にとって図１１に示すように一方向に回す。
【００７６】
このとき、魚釣り用発光ウキＡの第１の磁石６５は、図１２Ａに示すように、充電器Ｂの第２の磁石８５にくっついている状態から反時計回り方向に移動して、図１２Ｂに示す状態となる。このとき、魚釣り用発光ウキＡの第１の磁石６５のうちの一方の磁石６５１が充電器Ｂの同じ極性の磁石８５２に移動するため、魚釣り用発光ウキＡが充電器Ｂから取り外される方向に押し出されることがある。
【００７７】
本発明は、上記の構造を採用することにより、第１の磁石６５と第２の磁石８５の磁力が強くて強制的に分離し難い場合に、魚釣り用発光ウキＡを充電器Ｂから簡単に取り外すことが可能になる。
【符号の説明】
【００７８】
Ａ：魚釣り用発光ウキ
Ｂ：充電器
１０：上ケース
１１ａ：挿通孔
１２、２２：セラミックリング
１４：空気層
１５：Ｏリング
２０：下ケース
２１：中空ロッド
２１ａ：側挿通孔
２３：Ｏリング嵌合溝
２４：重り挿入空間
２５：磁石載置孔
２６：釣り糸挿通孔
２７：嵌合孔
３０：プリント回路基板（ＰＣＢ）
４０：発光体
４０ａ：リード線
５０：バッテリ
５１：充電接続端子
５１ａ：頭部
５２：接続線
５２ａ：コイル状部
５４：バッテリ端子
６４：重り
６５：第１の磁石
７０：充填体
８１：充電接触端
８２：垂直通嵌ロッド
８４：載置空間
８５：第２の磁石
８６：上ケース
８７：下ケース
８９：表示ランプ
６５１、６５２、８５１、８５２：磁石
８６１：磁石載置孔
８７１：支持突起
【図１】
2013220101.tif 000003
【図２】
2013220101.tif 000004
【図３】
2013220101.tif 000005
【図４】
2013220101.tif 000006
【図５】
2013220101.tif 000007
【図６】
2013220101.tif 000008
【図７】
2013220101.tif 000009
【図８】
2013220101.tif 000010
【図９】
2013220101.tif 000011
【図１０】
2013220101.tif 000012
【図１１】
2013220101.tif 000013
【図１２】
2013220101.tif 000014